【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】    【請求項１】  ユーザ向けに情報のボディを表示する手段と、  前記情報のボディの中の情報のユニットを前記ユーザにより明確化する手段、すなわち前記情報のボディを通じたナビゲーションのための一群のクラリフィケーション機能であって、前記表示手段による前記ユーザへの表示エレメントのユーザ指定により呼び出されるクラリフィケーションのプロセスを一つ以上の前記情報のユニットを見出すように用いることにより明確化する手段と、  前記情報のユニットを前記ユーザにより記憶する手段、すなわち前記一つ以上の情報のユニットが見出された場合にメモライゼーションのプロセス、すなわち前記表示手段による前記ユーザへの表示エレメントのユーザ指定により始動し、前記見出された一つ以上の情報のユニットの表す動作により完了するメモライゼーションのプロセスを呼び出すことにより記憶する手段とを含むユーザインタフェースであって、 前記情報のボディが複数の層の形に構成され、それら層の各々がもう一つの層の中の情報のユニットの下位にあり、それら情報のユニットの各々が一つ以上の前記層の一部を構成するとともに複数のハイアラーキの一部を構成することができ、 前記表示手段が一つ以上の前記情報のユニットを含む前記層の一つを表示するコンテント領域を含み、 前記コンテント領域が前記情報のユニットを都合よく表示する必要に応じて一つ以上のコンテントサブ領域に分割されており、 前記明確化する手段が、 前記表示された情報のユニットの一つを選択する手段と、 前記コンテント領域の中に、前記情報の被選択ユニットの下位にある情報のボディの層を後続表示し、その後続表示により前記層の前記表示に代える手段とをさらに含むユーザインタフェース。    【請求項２】  前記情報のユニットの固有性を前記ユーザにより明確化するとともに記憶する文脈重ね手段をさらに含む請求項１記載のインタフェース。    【請求項３】  前記記憶ずみの情報のユニットの代わりの選択を前記ユーザにより明確化するとともに記憶する要望重ね手段をさらに含む請求項１記載のインタフェース。    【請求項４】  前記情報のユニットの固有性を前記ユーザにより明確化するとともに記憶する文脈重ね手段と、  前記記憶ずみの情報のユニットの代わりの選択を前記ユーザにより明確化するとともに記憶する要望重ね手段とをさらに含む請求項１記載のインタフェース。    【請求項５】 ユーザ向けに情報のボディを表示する手段と、 前記情報のボディの中の情報のユニットを前記ユーザにより明確化する手段、すなわち前記情報のボディを通じたナビゲーションのための一群のクラリフィケーション機能であって、前記表示手段による前記ユーザへの表示エレメントのユーザ指定により呼び出されるクラリフィケーションのプロセスを一つ以上の前記情報のユニットを見出すように用いることにより明確化する手段と、 前記情報のユニットを前記ユーザにより記憶する手段、すなわち前記一つ以上の情報のユニットが見出された場合にメモライゼーションのプロセス、すなわち前記表示手段による前記ユーザへの表示エレメントのユーザ指定により始動し、前記見出された一つ以上の情報のユニットの表す動作により完了するメモライゼーションのプロセス��呼び出すことにより記憶する手段とを含むユーザインタフェースであって、 前記情報のボディが前記情報のユニットの階層構成、すなわち多階層で層状の階層構成であり、 前記表示手段が一つ以上の前記情報のユニットを含む前記階層構成の前記層の一つを表示するコンテント領域を含み、 前記コンテント領域が前記情報のユニットを都合よく表示する必要に応じて一つ以上のコンテントサブ領域アに分割されており、 前記明確化する手段が、 前記表示された情報のユニットの一つを選択する手段と、 前記コンテント領域の中に、前記情報の被選択ユニットの下位にある前記階層構成の層を後続表示し、その後続表示により前記層の前記表示に代える手段とをさらに含むユーザインタフェース。    【請求項６】  前記記憶する手段が、表示ずみの前記情報のユニットと関連づけられた記憶表示器を選択する手段をさらに含む請求項５記載のインタフェース。    【請求項７】  前記記憶する手段が、前記情報の被選択ユニットに作用する手段をさらに含む請求項６記載のインタフェース。    【請求項８】  前記記憶する手段が、前記作用する手段の活性化の前に一つ以上の選択ずみの前記情報ユニットを集めるオプションの手段をさらに含む請求項７記載のインタフェース。    【請求項９】  前記作用する手段が自動的に活性化される請求項８記載のインタフェース。    【請求項１０】  前記作用する手段が前記情報のボディに作用する請求項８記載のインタフェース。    【請求項１１】  前記作用する手段が前記インタフェースを外部回路に接続するように動作する請求項８記載のインタフェース。    【請求項１２】  前記作用する手段がユーザに選択可能な複製表示器をさらに含む請求項８記載のインタフェース。    【請求項１３】  前記ナビゲーション制御手段が後入れ先出し独自性領域である請求項１２記載のインタフェース。    【請求項１４】  前記独自性領域が、継続して選択し明確化した情報のユニット、すなわち明確化し終えたのち前記文脈領域に継続的に動かされさらに前記独自性領域に動かされた情報のユニットであって、前記継続的に独自性領域から選択したのち継続して前記文脈領域に動かされた情報のユニットの表示を含む請求項１３記載のインタフェース。    【請求項１５】  前記独自領域に含まれる情報のユニットの前記表示を対称的に配列した請求項１４記載のインタフェース。    【請求項１６】  前記記憶表示器が前記下位領域の中の小領域である請求項１４記載のインタフェース。    【請求項１７】  前記選択を前記小領域への接触によって行う請求項１６記載のインタフェース。    【請求項１８】  前記選択を前記小領域内で指示デバイスをクリックすることによって行う請求項１６記載のインタフェース。    【請求項１９】  前記コンテント領域が、二つの寸法の各々に沿って互いに同数のコンテント下位領域を有する前記コンテント下位領域の二次元アレーである請求項１６記載のインタフェース。    【請求項２０】  前記アレーが、それぞれ正方形の前記コンテント下位領域の３行３列アレーである請求項１９記載のインタフェース。    【請求項２１】  前記文脈領域が前記コンテント下位領域の寸法を有し前記３行３列アレーの右端の列の上に配置され、前記要望領域が前記コン��ント下位領域の寸法を有し前記３行３列アレーの左端の列の上に配置され、前記独自領域が前記コンテント下位領域を有して前記文脈領域と前記要望領域との間に配置される請求項１９記載のインタフェース。    【請求項２２】  前記コンテント領域が前記コンテント下位領域の対称的アレーである請求項１６記載のインタフェース。    【請求項２３】  前記アレーが中心点について対称である請求項２２記載のインタフェース。    【請求項２４】  前記記憶表示器小領域の前記下位領域における配置を、前記下位領域に対する前記小領域の関係が前記コンテント領域に対する前記要望領域の関係と同じになるように行う請求項１９記載のインタフェース。    【請求項２５】  前記記憶表示器小領域が前記下位領域の左上部である請求項２１記載のインタフェース。    【請求項２６】  前記文脈重ね手段が前記明確化ずみの情報のユニットと関連した固有性の階層に従って前記明確化手段および前記記憶手段の動作を始動する手段をさらに含み、前記情報のボディが多階層構成で複数の層を有する前記情報のユニットの階層構成を備え、前記表示手段が一つ以上の前記情報のユニットを含む前記多階層構成の一つの層を表示するコンテント領域を含む請求項２記載のインタフェース。    【請求項２７】  前記文脈始動手段が、  前記明確化ずみの情報のユニットの下位の層を前記コンテント領域で表示する一方、直近の過去に明確化ずみの情報のユニットを表示する文脈領域と、  前記文脈領域を選択する手段とを含み、前記文脈重ね手段が、前記固有性記憶手段の完結時に動作可能になる手段であって、前記固有性によるフィルタ処理、記憶およびデータ処理の施された形で前記明確化ずみの情報のユニットの下位の前記層のコンテント領域に再表示を行う手段をさらに含む請求項２６記載のインタフェース。    【請求項２８】  前記情報のユニットの固有性をユーザが明確化させ記憶させる文脈重ね手段と、  記憶ずみの前記情報のユニットの代替的選択をユーザが明確にさせ記憶させる要望重ね手段とをさらに含む請求項８記載のインタフェース。    【請求項２９】  前記文脈重ね手段が前記明確化ずみの情報のユニットと関連した固有性の階層に従って前記明確化手段および前記記憶手段の動作を始動する手段をさらに含む請求項２８記載のインタフェース。    【請求項３０】  前記文脈始動手段が、  前記明確化ずみの情報のユニットの下位の層を前記コンテント領域で表示する一方、直近の過去に明確化ずみの情報のユニットを表示する文脈領域と、  前記文脈領域を選択する手段とを含み、前記文脈重ね手段が、前記固有性記憶手段の完結時に動作可能になる手段であって、前記固有性によるフィルタ処理、記憶およびデータ処理の施された形で前記明確化ずみの情報のユニットの下位の前記層のコンテント領域に再表示を行う手段をさらに含む請求項２９記載のインタフェース。    【請求項３１】  前記作用する手段がユーザに選択可能な複製表示器をさらに含む請求項３０記載のインタフェース。    【請求項３２】  前記ナビゲーション制御手段が後入れ先出し独自性領域である請求項３１記載のインタフェース。    【請求項３３】  前記独自性領域が、継続して選択し明確化した情報のユニット、すなわち明確化し���えたのち前記文脈領域に継続的に動かされさらに前記独自性領域に動かされた情報のユニットであって、前記継続的に前記独自性領域から選択したのち継続して前記文脈領域に動かされた情報のユニットの表示を含む請求項３２記載のインタフェース。    【請求項３４】  前記独自領域に含まれる情報のユニットの前記表示を対称的に配列した請求項３３記載のインタフェース。    【請求項３５】  前記記憶表示器が前記下位領域の中の小領域である請求項３３記載のインタフェース。    【請求項３６】  前記コンテント領域が、二つの寸法の各々に沿って互いに同数のコンテント下位領域を有する前記コンテント下位領域の二次元アレーである請求項３５記載のインタフェース。    【請求項３７】  前記要望重ね手段が前記記憶ずみで未処理の情報のユニットと関連した代替的選択の階層に従って前記明確化手段および前記記憶手段の動作を始動する手段をさらに含む請求項２８記載のインタフェース。    【請求項３８】  前記要望始動手段が、  記憶ずみではあるもののまだ処理を施していない前記情報のユニットを表示する要望領域と、  前記要望領域を選択する手段とをさらに含む請求項３７記載のインタフェース。    【請求項３９】  前記要望重ね手段が、前記代替選択記憶手段の完結により動作可能になるオプションの手段であって、前記明確化ずみの情報のユニットの下位の前記層の前記コンテント領域に表示を行うオプションの手段をさらに含む請求項３８記載のインタフェース。    【請求項４０】  記憶ずみではあるもののまだ処理を施していない前記情報のユニットを対称アレーの形に表示する請求項３８記載のインタフェース。    【請求項４１】  前記作用する手段がユーザに選択可能な複製表示器をさらに含む請求項３９記載のインタフェース。    【請求項４２】  前記ナビゲーション制御手段が後入れ先出し独自性領域である請求項４１記載のインタフェース。    【請求項４３】  前記独自性領域が、継続して選択し明確化した情報のユニット、すなわち明確化し終えたのち前記文脈領域に継続的に動かされさらに前記独自性領域に動かされた情報のユニットであって、前記継続的に独自性領域から選択したのち継続して前記文脈領域に動かされた情報のユニットの表示を含む請求項４２記載のインタフェース。    【請求項４４】  前記独自領域に含まれる情報のユニットの前記表示を対称的に配列した請求項４３記載のインタフェース。    【請求項４５】  前記記憶表示器が前記下位領域の中の小領域である請求項４３記載のインタフェース。    【請求項４６】  前記コンテント領域が、二つの寸法の各々に沿って互いに同数のコンテント下位領域を有する前記コンテント下位領域の二次元アレーである請求項４５記載のインタフェース。    【請求項４７】  情報のユニットからなる情報のボディをユーザに提示する提示プロトコルであって、前記ユーザにより互いに区別できる構成要素、すなわち少なくとも一つで前記情報のユニットの少なくとも一つを提示する構成要素を用いた提示プロトコルと、 複数のユーザ操作可能な機能、すなわち、その機能と特有の関連を有する前記構成要素の一つ以上のユーザによる指定により各々が呼び出される複数のユーザ操作可能な機能であって、その操作が前��情報のボディの前記構成要素経由の提示の変化とさらに関連づけられた機能を有し前記情報のボディを明確化する明確化プロトコルと、 前記情報のボディの被選択ユニットを記憶する記憶プロトコルであって、複数のユーザ操作可能な機能、すなわちその機能と特有の関連を有する前記構成要素の一つ以上のユーザによる指定により各々が呼び出される複数のユーザ操作可能な機能であってその操作が前記情報のボディの前記構成要素経由の提示の変化とさらに関連づけられた機能を有し前記情報のボディを記憶する記憶プロトコルとを含み、 前記明確化プロトコルが、前記情報のボディを通じたナビゲーションにより前記一つ以上の情報のユニットを見出すのに用いられるクラリフィケーションのプロセスであり、 前記記憶プロトコルが、一つ以上の前記見出しずみの情報ユニットにより指定された動作により完結するメモライゼーションのプロセスであり、 前記情報のボディが複数の層の形に構成され、それら層の各々がもう一つの層の中の情報のユニットの下位にあり、それら情報のユニットの各々が一つ以上の前記層の一部を構成するとともに複数のハイアラーキの一部を構成することができ、 前記表示手段が一つ以上の前記情報のユニットを含む前記層の一つを表示するコンテント領域を含み、 前記コンテント領域が前記情報のユニットを都合よく表示する必要に応じて一つ以上のコンテントサブ領域に分割されており、 前記明確化する手段が、 前記表示された情報のユニットの一つを選択する手段と、 前記コンテント領域の中に、前記情報の被選択ユニットの下位にある情報のボディの層を後続表示し、その後続表示により前記層の前記表示に代える手段とをさらに含むユーザインタフェース。    【請求項４８】  前記情報のボディをフィルタ処理する文脈重ねであって、独自性情報のボディに前記明確化プロトコルを適用し、前記フィルタ処理のための前記独自性情報のボディのユニットを選択するように前記記憶プロトコルを適用する文脈重ねをさらに含む請求項４７記載のインタフェース。    【請求項４９】  前記情報のボディの被選択ユニットに関連して代替動作オプションを選ぶ要望重ねであって、前記明確化プロトコルを動作オプション情報のボディに適用し前記動作オプション情報のボディのユニットの選択のために前記記憶プロトコルを適用する要望重ねをさらに含む請求項４７記載のインタフェース。    【請求項５０】  前記情報のボディをフィルタ処理する文脈重ねであって、独自性情報のボディに前記明確化プロトコルを適用し、前記フィルタ処理のための前記独自性情報のボディのユニットを選択するように前記記憶プロトコルを適用する文脈重ねと、  前記情報のボディの被選択ユニットに関連して代替動作オプションを選ぶ要望重ねであって、前記明確化プロトコルを動作オプション情報のボディに適用し、前記動作オプション情報のボディのユニットの選択のために前記記憶プロトコルを適用する要望重ねとをさらに含む請求項４７記載のインタフェース。    【請求項５１】  前記情報のボディが前記情報のユニットの階層構成、すなわち多階層で層状の階層構想である請求項４７記載のインタフェース。    【請求項５２】  前記構成要素が、  一つ以上の前記情報のユニットを含���前記多層構成の一つの層を表示するコンテント領域と、  前記コンテント領域に表示した前記層の親である情報のユニットを表示する文脈領域と、  前記表示ずみの層の親の履歴を表示する独自性領域とを含む請求項５１記載のインタフェース。    【請求項５３】  前記情報のユニットを都合よく表示するために必要に応じて前記コンテント領域を一つ以上のコンテント下位領域に分割した請求項５２記載のインタフェース。    【請求項５４】  前記明確化機能が、  前記文脈領域に表示される一つの被選択情報ユニットのユーザ選択により動作可能であり、前記被選択情報ユニットの子の前記多層構成の一つの層を前記コンテント領域に表示するようにする明確化ダウン機能と、  前記独自性領域のユーザ選択により動作可能であり、前記明確化ダウン機能により直近の過去に置換された前記多層構成の前記層が前記コンテント領域に再表示されるようにする明確化アップ機能と、 前記文脈領域のユーザ選択により動作可能であり、前記文脈領域に表示された前記親ユニットに関連づけられた特性を前記コンテント領域に表示するオプションの文脈重ね機能とを含む請求項５３記載のインタフェース。    【請求項５５】  前記構成要素が前記ユーザの選択した情報のユニットを集める要望領域を含む請求項５４記載のインタフェース。    【請求項５６】  前記記憶機能が、  前記情報の選んだユニットを前記要望領域に動かす記憶機能と、  前記要望領域に集められた情報のユニットに作用する複製機能と、  前記集められた情報のユニットに適用可能な代替の動作を前記コンテント領域に表示するオプションの要望重ね機能とを含む請求項５５記載のインタフェース。    【請求項５７】  前記記憶機能が前記選ばれた情報のユニットに対応するコンテント下位領域の中の指定された領域をユーザが選ぶことによって動作可能な請求項５６記載のインタフェース。    【請求項５８】  前記記憶機能が、前記選ばれた情報のユニットに対応するコンテント下位領域をユーザがまず選び、記憶用に指定された前記構成要素の一つを次に選ぶことによる逐次的選択により動作可能な請求項５６記載のインタフェース。    【請求項５９】  前記選ばれた情報のユニットの表示を第１の構成要素により行い、前記ユーザによる選択を第２の構成要素により行う請求項５８記載のインタフェース。    【請求項６０】  前記第１の構成要素がテレビジョン式スクリーンの指定された部分であり、前記第２の構成要素が電話機プッシュボタンの指定された一つのボタンであり、前記第１および第２の構成要素のうちにユーザに自明の特有の対応関係がある請求項５８記載のインタフェース。    【請求項６１】  前記複製機能が前記要望領域の中の指定された領域のユーザによる選択により作動可能である請求項５６記載のインタフェース。    【請求項６２】  前記複製機能が前記記憶機能に引き続いて自動的に活性化される請求項５６記載のインタフェース。    【請求項６３】  情報を見出し、集めるとともにその情報に基づいて行動する方法であって、  情報のユニットを含む情報のボディを提示する過程と、 一つ以上の前記情報のユニットを見出すようにクラリフィケーションのプロセス、すなわち前記情報ボディを通じたナビゲーションのための���群のクラリフィケーション機能であって、前記提示する過程において前記ユーザに提示される表示エレメントのユーザ指定により呼び出され、ユーザが所望の情報を見出すことを可能にするクラリフィケーションのプロセスを用いて前記情報のボディを明確化する過程と、 一つ以上の見出しずみの前記情報のユニットに対してメモライゼーションのプロセス、すなわち前記提示する過程において前記ユーザに提示される表示エレメントのユーザ指定により始動し前記一つ以上の見出しずみの前記情報のユニットの表す動作により完結し、ユーザが所望の情報を集めて加工することを可能にするメモライゼーションのプロセスを呼び出すことにより情報のボディの被選択ユニットを記憶する過程とを含み、 前記情報のボディが複数の層の形に構成され、それら層の各々がもう一つの層の中の情報のユニットの下位にあり、それら情報のユニットの各々が一つ以上の前記層の一部を構成するとともに複数のハイアラーキの一部を構成することができ、 前記提示する過程が一つ以上の前記情報のユニットを含む前記層の一つを表示するコンテント領域を含み、 前記コンテント領域が前記情報のユニットを都合よく表示する必要に応じて一つ以上のコンテントサブ領域に分割されており、 前記明確化する過程が、 前記表示された情報のユニットの一つを選択する過程と、 前記コンテント領域の中に、前記選択された情報のユニットの下位にある情報のボディの層を後続表示し、その後続表示により前記層の前記表示に代える過程とをさらに含む方法。    【請求項６４】  前記構成要素が、  一つ以上の前記情報のユニットを含む前記多層構成の一つの層を表示するコンテント領域と、  前記コンテント領域に表示した前記層の親である情報のユニットを表示する文脈領域とを含む請求項５１記載のインタフェース。    【請求項６５】  前記情報のユニットを都合よく表示するために必要に応じて前記コンテント領域を一つ以上のコンテント下位領域に分割した請求項６４記載のインタフェース。    【請求項６６】  前記明確化機能が、  前記文脈領域に表示される一つの被選択情報ユニットのユーザ選択により動作可能であり、前記被選択情報ユニットの子の前記多層構成の一つの層を前記コンテント領域に表示するようにする明確化ダウン機能と、 前記構成要素の一つのユーザ選択により動作可能であり、前記明確化ダウン機能により直近の過去に置換された前記多層構成の前記層が前記コンテント領域に再表示されるようにする明確化アップ機能と、 前記文脈領域のユーザ選択により動作可能であり、前記文脈領域に表示された前記親ユニットに関連づけられた特性を前記コンテント領域に表示するオプションの文脈重ね機能とを含む請求項６５記載のインタフェース。